(57)【要約】  本発明は、シリコーンやゼラチンからなる偽造指紋のインピーダンス値を測定し、指紋であるのか、それとも偽造指紋であるのかを判別できるようにしたインピーダンスを用いた偽造指紋判別装置及び方法に関し、指紋認識モジュールで指から反射された超音波のインピーダンス値をドライバーＩＣで判別し、インピーダンス値の変化に基づいてを通じて偽造指紋を判別することを特徴とし、指紋認識モジュールから発振され、偽造指紋にぶつかって応答される超音波でインピーダンス値を測定することによって偽造指紋であるのかどうかを判断する。従来のｘ、ｙ、ｚのベクトルを区分することによって指紋を認識する方法よりも正確に指紋を認識することができ、偽造指紋を正確に判別するので、偽造指紋の誤認証によって発生する弊害を防止できるという効果がある。
2020527811.tif 000002
【特許請求の範囲】
【請求項１】
実際の指紋又は偽造指紋のパターンを読み込めるように超音波を発振し、反射された超音波を読み込む指紋認識モジュール（１１０）と；
前記指紋認識モジュール（１１０）から印加される超音波のインピーダンスを測定できるように前記指紋認識モジュール（１１０）と電気的に連結され、超音波のインピーダンス値を測定するドライバーＩＣ（１２０）と；
前記ドライバーＩＣ（１２０）から印加される指紋のインピーダンス値が既に設定されたインピーダンス値内に位置するのかどうかを判断する判断部（１３０）と；
前記判断部（１３０）でインピーダンス値を比較及び判断できるように既に設定されたインピーダンス値を前記判断部（１３０）に提供するために実際のインピーダンス値を格納するメモリ（１４０）と；
ユーザーを認証できるように前記判断部（１３０）と電気的に連結され、前記判断部（１３０）で比較したインピーダンス値によって認証する認証部（１５０）と；を含むことを特徴とするインピーダンスを用いた偽造指紋判別装置。
【請求項２】
前記判断部（１３０）は、指紋の認証が行われるユーザー別にインピーダンス値をメモリ（１４０）に格納し、格納されたインピーダンス値に基づいてユーザー別にレンジを設定することを特徴とする、請求項１に記載のインピーダンスを用いた偽造指紋判別装置。
【請求項３】
前記メモリ（１４０）は、実際の指紋のインピーダンス値を格納し、インピーダンス値の範囲を設定できるようにすることを特徴とする、請求項１に記載のインピーダンスを用いた偽造指紋判別装置。
【請求項４】
指紋認識モジュール（１１０）で指から反射される超音波のインピーダンス値をドライバーＩＣ（１２０）を通じて判別し、インピーダンス値の変化に基づいて偽造指紋（２００）を判別することを特徴とするインピーダンスを用いた偽造指紋判別方法。
【請求項５】
前記インピーダンス値の測定は、前記偽造指紋（２００）を着用した状態で指の表皮と前記偽造指紋との間に形成される空気層による速度低下及び屈折を含む特性に基づいて前記偽造指紋（２００）を前記ドライバーＩＣ（１２０）で判別することを特徴とする、請求項４に記載のインピーダンスを用いた偽造指紋判別方法。
【請求項６】
前記偽造指紋（２００）は、ゴム、シリコーン、及びゼラチンからなり、前記偽造指紋（２００）のインピーダンス値が人体のインピーダンス値と異なることに基づいて、前記偽造指紋を前記ドライバーＩＣ（１２０）で判断することを特徴とする、請求項４に記載のインピーダンスを用いた偽造指紋判別方法。
【請求項７】
指に着用した偽造指紋（２００）を指紋認識モジュール（１１０）に密着させるステップ（Ｓ１０）と；
前記指紋認識モジュール（１１０）で前記偽造指紋（２００）に超音波を発振するステップ（Ｓ２０）と；
前記偽造指紋（２００）から応答された超音波を前記指紋認識モジュール（１１０）で受信するステップ（Ｓ３０）と；
前記指紋認識モジュール（１１０）で受信した超音波をドライバーＩＣ（１２０）に印加するステップ（Ｓ４０）と；
前記ドライバーＩＣ（１２０）で超音波のインピーダンス値を測定するステップ（Ｓ５０）と；
測定したインピーダンス値が、既に設定されたインピーダンス値と比較して設定範囲内のインピーダンス値であるのかどうかを判断部（１３０）で判断するステップ（Ｓ６０）と；
設定範囲内のインピーダンス値である場合は、実際の指紋であると判断して認証を行い、前記偽造指紋（２００）であると判断される場合は、指紋認証を再度行うステップ（Ｓ７０）と；を含むことを特徴とするインピーダンスを用いた偽造指紋判別方法。
【請求項８】
Ｓ３０のステップは、前記偽造指紋（２００）が、ゴム、シリコーン、及びゼラチンからなり、前記偽造指紋（２００）のインピーダンス値が人体のインピーダンス値と異なることに基づいて、前記偽造指紋を前記ドライバーＩＣ（１２０）で判断することを含む、請求項７に記載のインピーダンスを用いた偽造指紋判別方法。
【請求項９】
Ｓ５０のステップは、前記偽造指紋（２００）を着用した状態で指の表皮と前記偽造指紋との間に形成される空気層による速度低下及び屈折を含む特性に基づいて前記偽造指紋（２００）を前記ドライバーＩＣ（１２０）で判別することを含む、請求項７に記載のインピーダンスを用いた偽造指紋判別方法。
【発明の詳細な説明】
【技術分野】
【０００１】
本発明は、インピーダンスを用いた偽造指紋判別装置及び方法に関し、より詳細には、シリコーンやゼラチンからなる偽造指紋のインピーダンス値を測定し、指紋であるのか、それとも偽造指紋であるのかを判別できるようにしたインピーダンスを用いた偽造指紋判別装置及び方法に関する。
【背景技術】
【０００２】
人体の身体部位のうち手足の指には、汗腺の位置に沿って指紋の隆線（Ｒｉｄｇｅ）が形成され、各隆線の間に谷（Ｖａｌｌｅｙ）が形成される。すなわち、指紋の隆線とは、手足の指に形成された汗腺に沿って皮膚が隆起したものと言える。したがって、指紋の隆線上には、汗腺で生成された汗を出すための汗孔が形成される。
【０００３】
このような指紋は、たとえ一卵性双子であっても互いに異なり、特定の人を固有に識別できる識別手段になり得る。
【０００４】
従来、このような指紋は、特定の人を識別する識別手段ではなく認証手段として使用した。すなわち、従来の指紋認証は、別途の媒体やＩＤなどを用いて認証対象となる人を識別した後、その人であるのかどうかを確認するために指紋を認証した。したがって、指紋を偽造し、他人のＩＤを盗用しようとする試みが持続的になされている。
【０００５】
ところが、指紋の偽・変造は比較的容易である。人体の表皮と類似する物理的、化学的、電気的特性を有する物質を通じて指紋を模写することによって指紋認識を試みる場合、従来に提案された指紋認識技術ではこのような模写指紋を排除することが非常に難しいという問題がある。例えば、人体の表皮組成に非常に類似するグミ（Ｇｕｍｍｉ）を用いて指紋を模写する場合、従来の指紋認識技術を通じてこのような模写指紋を排除することは非常に難しい。
【０００６】
このような模写指紋を排除する技術としては、例えば、日本特許公開２０００−１２３１４３号、日本特許公開平１０−３０２０４７号、日本特許公開２０００−１９４８４８号、日本特許公開２０００−１７２８３３号などがある。
【０００７】
しかし、日本特許公開２０００−１２３１４３号や日本特許公開平１０−３０２０４７号に開示された技術では、被検体の電流値、静電容量、電気抵抗などによって被検体が生体であるのかどうかを判定しているので、人体の表皮と類似する物理的、化学的、電気的特性を有する物質を用いた模写指紋を排除することが難しく、日本特許公開平１０−３７０２９５号に開示された技術では、静電容量式センサーの反応有無によって偽造指紋を判定し、日本特許公開２０００−１７２８３３号に開示された技術では、電気的特性であるインピーダンスの周波数特性によって被検体が生体であるのかどうかに対してのみ判定しているので、これによっても、人体の表皮と類似する物理的、化学的、電気的特性を有する物質を用いた模写指紋を排除することが難しい。
【０００８】
すなわち、人体のインピーダンスは、年齢、性別、人体の各部分別、水分含有量などによって大きな差を示している。通常、人体のインピーダンスを判定するために約２５００Ω程度を基準値としているが、実際には人ごとに非常に大きな差がある。例えば、工具を用いて作業する勤労者のインピーダンスは約１０，０００Ωであり、事務勤労者の手のように柔らかい皮膚では約１，０００Ωのインピーダンスである。人体のインピーダンスは相当大きな幅で変動するようになる。したがって、単純にインピーダンスを用いて生体であるのかどうかを判定することは比較的容易であり得るが、特定のユーザーのインピーダンスを定量化し、特定のユーザーのインピーダンスであるのかどうかを判定することは非常に難しいという問題がある。
【０００９】
前記のような問題を解消するため、韓国公開特許公報第２０１７−００７７９８８号（２０１７．０７．０７．公開）（「皮膚インピーダンスを用いた生体指紋認証方法」）は、皮膚接触に基づいて指紋をセンシングする指紋センサーと、前記指紋のセンシング中に皮膚と接触可能な二つ以上の電極を含む電極部とが結合されて構成されたセンサーモジュールを備えた装置を通じて実行される方法を開示している。この方法は、前記電極部を通じて制御可能な電流の経路、接触電圧、周波数、及び電流密度のうち少なくとも一つを制御変数として設定し、前記指紋センサーを通じた接触式指紋センシング過程中に測定可能な通電時間、皮膚湿度、接触面積、接触圧力、及び温度のうち少なくとも一つを測定変数として設定する第１ステップ；前記指紋センサーによって指紋のセンシング時、前記設定された制御変数に基づいて前記電極部を制御しながら指紋認識過程中に前記電極部に接触した皮膚のインピーダンス値をセンシングすると同時に、前記少なくとも一つの測定変数を測定する第２ステップ；前記センシングされた指紋パターンの整合認証時、所定の格納領域にインピーダンス値と前記測定変数との組み合わせを蓄積し、所定の個数以上の組み合わせが蓄積された場合、インピーダンス値と測定変数との蓄積された組み合わせに対する数値解釈又は統計処理を行い、少なくとも一つの測定変数と関連したインピーダンス有効範囲を算出するか、既に登録されたインピーダンス有効範囲を確認する第３ステップ；及び前記インピーダンス有効範囲が確認された場合、前記インピーダンス値が前記確認されたインピーダンス有効範囲に属するのかどうかを認証する第４ステップ；を含む。
【００１０】
また、前記指紋パターンの整合認証が行われ、前記センシングされたインピーダンス値が前記インピーダンス有効範囲に属する場合、ユーザーの実際の生体指紋認証が成功したものとして処理するステップをさらに含んで構成されることを特徴とする。
【００１１】
前記のようなステップからなる先行技術は、通電時間、皮膚湿度、接触面積、接触圧力及び温度のうち少なくとも一つを測定変数として設定し、これに基づいてインピーダンス値を測定することによって実際の生体指紋の認証を行う。
【００１２】
しかし、シリコーンやゼラチンに形成された偽造指紋を指に着用した状態でこれを測定したときにもインピーダンス値が発生するので、同一の指紋と判断して認証が行われるという問題がある。
【発明の概要】
【発明が解決しようとする課題】
【００１３】
前記のような問題を解決するための本発明は、シリコーンやゼラチンからなる偽造指紋のインピーダンス値を測定することによって、指紋であるのか、それとも偽造指紋であるのかを判別できるようにしたインピーダンスを用いた偽造指紋判別装置及び方法を提供することを目的とする。
【課題を解決するための手段】
【００１４】
本発明の一態様は、インピーダンスを用いた偽造指紋判別装置を提供する。
【００１５】
本発明の装置は、実際の指紋又は偽造指紋のパターンを読み込むために超音波を発振し、反射された超音波を読み込む指紋認識モジュールと；指紋認識モジュールから印加される超音波のインピーダンスを測定するために指紋認識モジュールと電気的に連結され、超音波のインピーダンス値を測定するドライバーＩＣと；ドライバーＩＣから印加されるインピーダンス値が既に設定されたインピーダンス値内に位置するのかどうかを判断する判断部と；判断部に既に設定されたインピーダンス値を提供し、判断部でインピーダンス値を比較及び判断できるように実際のインピーダンス値を格納するメモリと；ユーザーを認証できるように判断部と電気的に連結され、判断部で比較したインピーダンス値によって認証を行う認証部と；を含むことを特徴とする。
【００１６】
また、本発明の判断部は、指紋の認証が行われるユーザー別にインピーダンス値をメモリに格納し、格納されたインピーダンス値に基づいてユーザー別にレンジを設定することを特徴とする。
【００１７】
また、本発明のメモリは、インピーダンス値のレンジを決定するために、ユーザー別に指紋のインピーダンス値を格納することを特徴とする。
【００１８】
本発明の他の態様は、インピーダンスを用いた偽造指紋判別方法を提供する。
【００１９】
この方法は、指紋認識モジュールで指から反射された超音波のインピーダンス値をドライバーＩＣによって判別し、インピーダンス値の変化に基づいて偽造指紋を判別することを特徴とする。
【００２０】
インピーダンス値の測定は、偽造指紋を指に着用した指の表皮と偽造指紋との間に形成される空気層による速度低下及び屈折を含む特性を用いて偽造指紋をドライバーＩＣで判別することを特徴とする。
【００２１】
本発明の偽造指紋は、ゴム、シリコーン、及びゼラチンからなり、偽造指紋のインピーダンス値が人体のインピーダンス値と異なることに基づいて偽造指紋であるのかどうかをドライバーＩＣで判断することを特徴とする。
【００２２】
本発明の他の態様は、インピーダンスを用いた偽造指紋判別方法を提供する。
【００２３】
この方法は、指に着用した偽造指紋を指紋認識モジュールに密着させるステップ（Ｓ１０）と；指紋認識モジュールで偽造指紋に超音波を発振するステップ（Ｓ２０）と；偽造指紋から応答される超音波を指紋認識モジュールで受信するステップ（Ｓ３０）と；指紋認識モジュールで受信した超音波をドライバーＩＣに印加するステップ（Ｓ４０）と；ドライバーＩＣで超音波のインピーダンス値を測定するステップ（Ｓ５０）と；測定したインピーダンス値が、既に設定されたインピーダンス値と比較して設定範囲内のインピーダンス値であるのかどうかを判断部で判断するステップ（Ｓ６０）と；設定範囲内のインピーダンス値である場合は、実際の指紋であると判断して認証を行い、偽造指紋であると判断される場合は、指紋認証を再度行うステップ（Ｓ７０）と；を含むことを特徴とする。
【００２４】
偽造指紋は、ゴム、シリコーン、及びゼラチンからなり、Ｓ３０のステップは、偽造指紋のインピーダンス値が、人体のインピーダンス値と異なるかどうかを判断することを特徴とする。
【００２５】
Ｓ５０のステップは、偽造指紋を着用した指の表皮と偽造指紋との間に形成される空気層による速度低下及び屈折を含む特性を用いて偽造指紋を判別することを含む。
【発明の効果】
【００２６】
本発明は、指紋認識モジュールから発振され、偽造指紋にぶつかって応答した超音波でインピーダンス値を測定することによって偽造指紋であるのかどうかを判断するので、従来のｘ、ｙ、ｚのベクトルを区分することによって指紋を認識する方法よりも正確に指紋を認識できるという効果を有する。
【００２７】
また、本発明は、偽造指紋を正確に判別するので、偽造指紋の誤認証によって発生する弊害を防止できるという効果を有する。
【００２８】
また、本発明は、指紋認識モジュールを通じて超音波を発振し、応答した超音波のインピーダンス値がドライバーＩＣによって設定範囲内に位置するのかどうかを判断することによって偽造指紋を判別するので、実際のユーザーの識別と認証が同時に行われるという効果を有する。
【図面の簡単な説明】
【００２９】
【図１】本発明によるインピーダンスを用いた偽造指紋判別装置の構成を示した図である。
【図２】図１の偽造指紋を示した図である。
【図３】本発明によるインピーダンスを用いた偽造指紋判別方法を示したフローチャートである。
【図４】本発明のインピーダンスを用いた偽造指紋判別装置を通じてゼラチン及びシリコーンからなる偽造指紋のインピーダンス値を比較した表である。
【図５】本発明によるインピーダンスを用いた偽造指紋判別装置に指紋又は偽造指紋がタッチされていない状態で、指紋認識モジュールによってインピーダンス値を測したグラフである。
【図６】本発明によるインピーダンスを用いた偽造指紋判別装置に指紋がタッチされた状態で、インピーダンス値を測定したグラフである。
【図７】本発明によるインピーダンスを用いた偽造指紋判別装置にゼラチンからなる偽造指紋がタッチされた状態で、インピーダンス値を測定したグラフである。
【図８】本発明によるインピーダンスを用いた偽造指紋判別装置にシリコーンからなる偽造指紋がタッチされた状態で、インピーダンス値を測定したグラフである。
【発明を実施するための形態】
【００３０】
以下では、本発明によるインピーダンスを用いた偽造指紋判別装置及び方法を添付の図面を参照して詳細に説明する。
【００３１】
本発明によるインピーダンスを用いた偽造指紋判別装置及び方法は、図１〜図８に示したように用いる。
【００３２】
図１は、本発明によるインピーダンスを用いた偽造指紋判別装置の構成を示した図であり、図２は、図１の偽造指紋を示した図であり、図３は、本発明によるインピーダンスを用いた偽造指紋判別方法を示したフローチャートであり、図４は、本発明のインピーダンスを用いた偽造指紋判別装置を通じてゼラチン及びシリコーンからなる偽造指紋のインピーダンス値を比較した表であり、図５は、本発明によるインピーダンスを用いた偽造指紋判別装置に指紋又は偽造指紋がタッチされていない状態で、指紋認識モジュールによってインピーダンス値を測したグラフであり、図６は、本発明によるインピーダンスを用いた偽造指紋判別装置に指紋がタッチされた状態で、インピーダンス値を測定したグラフであり、図７は、本発明によるインピーダンスを用いた偽造指紋判別装置にゼラチンからなる偽造指紋がタッチされた状態で、インピーダンス値を測定したグラフであり、図８は、本発明によるインピーダンスを用いた偽造指紋判別装置にシリコーンからなる偽造指紋がタッチされた状態で、インピーダンス値を測定したグラフである。
【００３３】
図１〜図８を参照すると、本発明によるインピーダンスを用いた偽造指紋判別装置１００は、実際の指紋又は偽造指紋のパターンを読み込むために超音波を発振し、反射された超音波を読み込む指紋認識モジュール１１０と；指紋認識モジュール１１０から印加される超音波のインピーダンスを測定するために指紋認識モジュール１１０と電気的に連結され、超音波のインピーダンス値を測定するドライバーＩＣ  １２０と；ドライバーＩＣ  １２０から印加される偽造指紋２００のインピーダンス値が所定のインピーダンス値内にあるかどうかを判断する判断部１３０と；判断部１３０でインピーダンス値を比較及び判断できるように既に設定された実際のインピーダンス値を格納するメモリ１４０と；ユーザーを認証できるように判断部１３０と電気的に連結され、判断部１３０で比較したインピーダンス値によって認証を行う認証部１５０と；を含む。
【００３４】
指紋認識モジュール１１０は、超音波を用いる超音波指紋認識センサーを含む。
【００３５】
指紋認識モジュール１１０は、超音波を発振し、指の指紋にぶつかって反射された超音波の変化をｘ、ｙ、ｚ軸上のベクトルとして区分し、区分されたベクトルデータを通じて指紋のパターンを認識し、前記指紋のパターンを分析し、分析した指紋パターンと既に設定された指紋データとを比較し、指紋であるのか、それとも偽造指紋２００であるのかを判断できるようにする。
【００３６】
そして、指紋認識モジュール１１０は、超音波を発振し、指紋から応答される超音波のインピーダンス値を判別することによって、偽造指紋２００であるのかどうかを判定する。
【００３７】
判断部１３０は、指紋の認証が行われるユーザー別のインピーダンス値をメモリ１４０に格納する。また、判断部１３０は、指紋の認証を行うとき、ユーザー別のインピーダンス値をメモリに格納し、ユーザー別のインピーダンス値のレンジを設定する。
【００３８】
指紋を認識して得られる値、及び偽造指紋２００を認識して得られる値を測定し、指紋のインピーダンス値と偽造指紋２００のインピーダンス値との差を判断することによって、ユーザー別にインピーダンス値のレンジ設定をより正確に行うことができる。指紋のインピーダンス値は偽造指紋のインピーダンス値の範囲外に設定されるようにする。
【００３９】
メモリ１４０には、ユーザーの指紋データ及び指紋データに関するインピーダンス値が格納され、指紋認識モジュール１１０によって認識された指紋パターンを判断部１３０で比較できるようにする。
【００４０】
また、メモリ１４０には、ユーザー別の指紋データによるインピーダンス値を格納し、同一のパターンの偽造指紋２００が指紋認識モジュール１１０で読み込まれると、指紋に対して正確なインピーダンス値が適用されることによって偽造指紋２００を判別できるようにする。
【００４１】
本発明のインピーダンスを用いた偽造指紋判別方法は、指紋認識モジュール１１０で指から反射される超音波のインピーダンス値をドライバーＩＣ  １２０で判別し、変化したインピーダンス値を通じて偽造指紋２００を判別することを特徴とする。
【００４２】
また、インピーダンス値の測定は、偽造指紋２００を着用した指の表皮と偽造指紋２００との間に形成される空気層による速度低下及び屈折を含む特性を用いて偽造指紋２００をドライバーＩＣ  １２０で判別する。
【００４３】
偽造指紋２００は、ゴム、シリコーン及びゼラチンからなり、偽装諮問２００のインピーダンス値が人体のインピーダンス値と識別できることを利用して偽造指紋２００を判断する。
【００４４】
以下では、本発明によるインピーダンスを用いた偽造指紋判別方法をより具体的に説明する。
【００４５】
この方法は、指に着用した偽造指紋を指紋認識モジュールに密着させるステップ（Ｓ１０）と；指紋認識モジュールで偽造指紋に超音波を発振するステップ（Ｓ２０）と；偽造指紋から応答された超音波を指紋認識モジュールで受信するステップ（Ｓ３０）と；指紋認識モジュールで受信した超音波をドライバーＩＣに印加するステップ（Ｓ４０）と；ドライバーＩＣで超音波のインピーダンス値を測定するステップ（Ｓ５０）と；測定したインピーダンス値が、既に設定されたインピーダンス値と比較して設定範囲内のインピーダンス値であるのかどうかを判断部で判断するステップ（Ｓ６０）と；設定範囲内のインピーダンス値である場合は、実際の指紋であると判断して認証を行い、偽造指紋であると判断される場合は、指紋認証を再度行うステップ（Ｓ７０）と；を含む。
【００４６】
インピーダンスを用いた偽造指紋判別方法は、指紋認識モジュール１１０で指から反射された超音波のインピーダンス値をドライバーＩＣによって判別し、インピーダンス値の変化に基づいて偽造指紋２００を判別することを特徴とする。
【００４７】
また、インピーダンス値の測定は、偽造指紋２００を着用した指の表皮と偽造指紋２００との間に形成される空気層による速度低下及び屈折を含む特性を用いて偽造指紋２００をドライバーＩＣ  １２０で判別する。
【００４８】
偽造指紋２００は、ゴム、シリコーン及びゼラチンからなり、偽装指紋２００のインピーダンス値が人体のインピーダンス値と識別できることを利用して偽造指紋２００を判断する。
【００４９】
インピーダンス値は、ユーザー別にメモリに格納することができる。ユーザーごとに格納したインピーダンス値でユーザーの指紋を認識することにより、当該指紋が実際のものであるか否かを正確に判断できる。
【００５０】
ユーザー別にデータを格納するためには、指紋を認識する前にユーザー別のＩＤを入力し、入力されたＩＤ別のデータと比較及び判断できるようにする。
【００５１】
前記のような方法によって実際の指紋と偽造指紋のインピーダンス値が測定されるとき、それぞれ異なる値が得られる。
【００５２】
すなわち、人の応答速度が約１００ｍｓであると仮定したとき、偽造指紋２００の応答速度は２００ｍｓから４００ｍｓに遅くなるので、超音波の特性によって異なるインピーダンス値が得られる。
【００５３】
換言すると、超音波は、大気中では音波速度と類似する３４０ｍ／ｓの速度を有するが、水では１５００ｍ／ｓ、固体の剛性体では６０００ｍ／ｓの速度を有する。
【００５４】
超音波の応答速度の差によってインピーダンス値に差が発生するが、これは着用した偽造指紋と指の表皮との間に空気層が形成され、その結果、超音波の伝達速度が変わるためである。
【００５５】
指に着用した偽造指紋２００と指の表皮との間に空気層は速度低下及び屈折を生ぜしめる。その結果、応答した超音波のインピーダンス値が異なる値となる。
【００５６】
すなわち、図５に示したグラフは、実際の指紋又は偽造指紋２００が指紋認識モジュール１１０にタッチされていない状態での、インピーダンス値の測定値を示すグラフである。
【００５７】
図６に示したグラフは、実際の指紋が指紋認識モジュール１１０にタッチされた状態での、インピーダンス値の測定値を示すグラフであり、図７は、ゼラチンからなる偽造指紋２００が指紋認識モジュール１１０にタッチされたときの、インピーダンス値の測定値を示すグラフである。
【００５８】
図８は、シリコーンからなる偽造指紋２００が指紋認識モジュール１１０にタッチされた状態での、インピーダンス値の測定値を示すグラフである。
【００５９】
図５〜図８に示したように、指紋認識モジュール１１０に実際の指紋又は偽造指紋２００がタッチされていないときに測定されたインピーダンス値と、ゼラチン及びシリコーンからなる偽造指紋２００によって得られたインピーダンス値とが異なる値となるので、偽造指紋の判別が容易である。
【００６０】
したがって、前記のように、実際の指紋によって得られるインピーダンス値と、偽造指紋によって得られるインピーダンス値とを比較することによってユーザーの認証を行うので、ユーザー別の正確な認証が行われ、その結果、他人のＩＤ盗用を防止できるという長所がある。
【００６１】
また、偽造指紋を正確に判別するので、偽造指紋の誤認証によって発生する弊害を防止できるという長所がある。
【００６２】
本明細書及び図面に開示した本発明の各実施例は、理解を促進するために特定の例を提示したものに過ぎなく、本発明の範囲を限定しようとするものではない。ここで開示した各実施例の他にも、本発明の範疇を逸脱しない限りにおいて他の変形例が実施可能であり、これらの変形例も本発明のカテゴリーに属するものと言える。
【符号の説明】
【００６３】
１００    指紋認識装置
１１０    指紋認識モジュール
１２０    ドライバーＩＣ
１３０    判断部
１４０    メモリ
１５０    認証部
２００    偽造指紋
【産業上の利用可能性】
【００６４】
本発明は、インピーダンスを用いた偽造指紋判別装置及び方法に関し、シリコーンやゼラチンからなる偽造指紋のインピーダンス値を測定することによって、指紋であるのか、それとも偽造指紋であるのかを判別できるようにしており、指紋認識モジュールで指から反射される超音波のインピーダンス値をドライバーＩＣを通じて判別し、インピーダンス値の変化を通じて偽造指紋を判別することを特徴とし、指紋認識モジュールから発振され、偽造指紋にぶつかって応答される超音波のインピーダンス値を測定することによって偽造指紋であるのかどうかを判断するので、従来のｘ、ｙ、ｚのベクトルを区分することによって指紋を認識する方法よりも正確に指紋を認識することができ、偽造指紋を正確に判別するので、偽造指紋の誤認証によって発生する弊害を防止することができる。
【図１】
2020527811.tif 000003
【図２】
2020527811.tif 000004
【図３】
2020527811.tif 000005
【図４】
2020527811.tif 000006
【図５】
2020527811.tif 000007
【図６】
2020527811.tif 000008
【図７】
2020527811.tif 000009
【図８】
2020527811.tif 000010
【国際調査報告】
2020527811.tif 000011
2020527811.tif 000012
2020527811.tif 000013
2020527811.tif 000014